(57)【要約】【目的】任意の混色光を壁・天井等に反射・バウンスさせて、室内の明るさをとりながらも、その光色は質の良い高級感あふれる光で、小型の間接照明器具を提供する。【構成】平行に延びる３本の導線を被覆材で被覆してなる３芯電線に、色温度の異なる２種類の白熱ランプを１本の導線をコモン線として交互に接続していく２回路で光源がほぼ直線上にある照明器具と、当該２種類の白熱ランプが、消灯、全光点灯または調光点灯のいずれかに点灯制御されてなる照明パターンを記憶し、記憶された照明パターンを照明パターン選択操作部で操作できるようにするとともに、照明パターンを選択した後で、少なくとも１種類の白熱ランプを調光できるように構成した制御手段を内蔵したコントローラと、を備える【選択図】  図１
2004265795.tif 000002
【特許請求の範囲】
【請求項１】
３芯電線の内の１本の導線をコモン線として、さらに複数の色の温度の異なる光源を交互に接続してなる２回路とし、当該光源を消灯、全光点灯または調光点灯のいずれかにコントロールする制御手段とを備えてなることを特徴とする間接照明装置
【請求項２】
平行に延びる３本の導線を被覆材で被覆してなる３芯電線に、色温度の異なる２種類の白熱ランプを１本の導線をコモン線として交互に接続していく２回路で光源がほぼ直線上にある照明器具と、当該２種類の白熱ランプが、消灯、全光点灯または調光点灯のいずれかに点灯制御されてなる照明パターンを記憶し、記憶された照明パターンを照明パターン選択操作部で操作できるようにするとともに、照明パターンを選択した後で、少なくとも１種類の白熱ランプを調光できるように構成した制御手段を内蔵したコントローラと、を備えたことを特徴とする間接照明装置
【請求項３】
前記２種類の白熱ランプは、一方は２５００Ｋ以下の色温度を有する白熱ランプで、もう一方はバルブの生地に青色成分を練り込むことで、３０００Ｋ以上の色温度を有する白熱ランプであることを特徴とする請求項１記載の間接照明装置
【請求項４】
平行に延びる３本の導線を被覆材で被覆してなる３芯電線に、定格電圧が３６Ｖ以下で色温度の異なる２種類の白熱ランプを１本の導線をコモン線として交互に接続していく２回路で光源がほぼ直線上にある照明器具と、当該２種類の白熱ランプが、消灯、全光点灯または調光点灯のいずれかに点灯制御されてなる照明パターンを記憶し、記憶された照明パターンを照明パターン選択操作部で操作できるようにするとともに、照明パターンを選択した後で、少なくとも１種類の白熱ランプを調光できるように構成した制御手段を内蔵したコントローラと、入力電圧を前記２種類のランプの定格電圧に変圧させる変圧器２台と、を備えたことを特徴とする間接照明装置
【請求項５】
平行に延びる３本の導線を被覆材で被覆してなる３芯電線に、定格電圧が３６Ｖ以下で色温度の異なる２種類の白熱ランプを１本の導線をコモン線として交互に接続していく２回路で光源がほぼ直線上にある照明器具と、当該２種類の白熱ランプが、消灯、全光点灯または調光点灯のいずれかに点灯制御されてなる照明パターンを記憶し、記憶された照明パターンを照明パターン選択操作部で操作できるようにするとともに、照明パターンを選択した後で、少なくとも１種類の白熱ランプを調光できるように構成した制御手段を内蔵したコントローラと、入力電圧を前記２種類のランプの定格電圧に変圧させるために、内部に２台の変圧器を有し、前記２台の変圧器の２次側の出力線の１本をコモン線とし合計３本とするのだが、その際コモン線に流れる電流が前記２台の変圧器から流れる電流の差分になる変圧装置を１台と、を備えたことを特徴とする間接照明装置
【請求項６】
前記変圧装置において、コントローラとの極性を間違えて配線をした際に、回路を遮断する、或いは音や光で警報してくれる誤配線防止機構をさらに含むことを特徴とする請求項５記載の間接照明装置
【請求項７】
前記誤配線防止機構は、前記変圧装置の内部において、コモン線に流れる電流が前記２台の変圧器から流れる電流の差分になる時は、電位差を生じ青系のインジケータが点灯し、コモン線に流れる電流が前記２台の変圧器から流れる電流の総和になる時は、電位差を生じ赤系のインジケータが点灯するように、１次側の電線ラインにそれぞれ並列接続されることを特徴とする請求項６記載の間接照明装置
【請求項８】
前記誤配線防止機構は、前記変圧装置の内部において、コモン線に流れる電流が前記２台の変圧器から流れる電流の総和になる時は、電位差を生じ音が鳴るように１次側の電線ラインに電子ブザーが並列接続されることを特徴とする請求項６記載の間接照明装置
【請求項９】
３芯電線のコモン線は、真ん中の導線とすることを特徴とする請求項１から８のいずれかに記載の間接照明装置
【発明の詳細な説明】
【０００１】
【発明の属する技術分野】
本発明は、任意の混色光を壁・天井等に反射・バウンスさせて、室内の明るさをとる間接照明装置に関する。
【０００２】
【従来の技術】
従来、任意の混色光を壁・天井等に反射・バウンスさせて、室内の明るさをとる間接照明装置に関して、白熱灯器具と蛍光灯器具の組み合わせ、あるいは色温度の異なる２種類の蛍光灯器具の組み合わせ、のように２種類の器具の組み合わせで得る方法が一般的であった。
【０００３】
【発明が解決しようとする課題】
しかしながら、従来のものは、間接照明器具の用途として壁のかげなどに器具を隠して設置する際、器具が大型化し、そのため器具を隠す十分なスペースを美観的な見地から確保することができない場合が多く、実際に施工されている例は、ほとんど見受けられない。
【０００４】
また、蛍光ランプと異なり白熱ランプは、フィラメントから発生する光が、各波長の光が連続して含まれているため演色性がよく、その光色は、質の良い高級感あふれる光のため、ここ数年において間接照明器具の光源として使用されることが増えている。
【０００５】
本発明は、このような従来の事情に鑑みてなされたもので、その目的は、任意の混色光を壁・天井等に反射・バウンスさせて、室内の明るさをとりながらも、その光色は質の良い高級感あふれる光で、小型の間接照明器具を提供することにある。
【０００６】
【課題を解決するための手段】
本発明のある実施の形態は照明装置である。この装置は、平行に延びる３本の導線を被覆材で被覆してなる３芯電線に、色温度の異なる２種類の白熱ランプを１本の導線をコモン線として交互に接続していく２回路で光源がほぼ直線上にある照明器具と、当該２種類の白熱ランプが、消灯、全光点灯または調光点灯のいずれかに点灯制御されてなる照明パターンを記憶し、記憶された照明パターンを照明パターン選択操作部で操作できるようにするとともに、照明パターンを選択した後で、少なくとも１種類の白熱ランプを調光できるように構成した制御手段を内蔵したコントローラと、を備える。
【０００７】
本発明の別の実施形態もまた照明装置である。この装置は、平行に延びる３本の導線を被覆材で被覆してなる３芯電線に、定格電圧が３６Ｖ以下で色温度が異なる２種類の白熱ランプを１本の導線をコモン線として交互に接続していく２回路で光源がほぼ直線上にある照明器具と、当該２種類の白熱ランプが、消灯、全光点灯または調光点灯のいずれかに点灯制御されてなる照明パターンを記憶し、記憶された照明パターンを照明パターン選択操作部で操作できるようにするとともに、照明パターンを選択した後で、少なくとも１種類の白熱ランプを調光できるように構成した制御手段を内蔵したコントローラと、入力電圧を前記２種類のランプの定格電圧に変圧させる変圧器２台と、を備える。
【０００８】
本発明のさらに別の態様もまた照明装置である。この装置は、平行に延びる３本の導線を被覆材で被覆してなる３芯電線に、定格電圧が３６Ｖ以下で色温度の異なる２種類の白熱ランプを１本の導線をコモン線として交互に接続していく２回路で光源がほぼ直線上にある照明器具と、当該２種類の白熱ランプが、消灯、全光点灯または調光点灯のいずれかに点灯制御されてなる照明パターンを記憶し、記憶された照明パターンを照明パターン選択操作部で操作できるようにするとともに、照明パターンを選択した後で、少なくとも１種類の白熱ランプを調光できるように構成した制御手段を内蔵したコントローラと、入力電圧を前記２種類のランプの定格電圧に変圧させるために、内部に２台の変圧器を有し、前記２台の変圧器の２次側の出力線の１本をコモン線とし合計３本とするのだが、その際コモン線に流れる電流が前記２台の変圧器から流れる電流の差分になる変圧装置１台と、を備える。
【０００９】
【発明の実施の形態】
（第１実施形態）
本実施形態における照明装置は、色温度の異なる２種類の白熱ランプを平行に延びる３芯電線の真ん中の導線をコモン線として、交互に接続し、コントローラを用いて調光することで、任意の混色光を壁・天井等に反射・バウンスさせて、室内の明るさをとりながらも、その光色は質の良い高級感あふれる光で、小型の間接照明器具を提供することにある。
【００１０】
図１は、第１実施例における照明装置の基本構造を示す。白熱ランプ１ａは定格１００Ｖで色温度が２４００Ｋのランプで、リード線３ａおよびリード線３ｂを備える。白熱ランプ２ａは定格１００Ｖで、バルブの生地に青色成分を練り込むことにより、３２００Ｋの色温度を有する白熱ランプで、リード線４ａおよびリード４ｂを備える。白熱ランプ１ａのリード線３ａは３芯電線５の導線７に接続されており、もう片方のリード線３ｂは導線６に接続されている。同様に白熱ランプ２ａのリード線４ａは導線７に、リード線４ｂは導線８に接続されている。このことにより、照明器具１０は真ん中の導線７をコモン線として２回路を有することになる。またコントローラ１１は、照明器具１０と電源１２の間に介設されている。
【００１１】
（第２実施形態）
本実施形態における照明装置は、２種類の白熱ランプの定格電圧がともに２４Ｖであるため、入力電圧をランプの定格電圧に変圧させる変圧器が２台、照明器具とコントローラとの間に介設されている点で第１実施形態と異なる。
【００１２】
図２は、第２実施形態における照明装置の基本構造を示す。ここでは、白熱ランプ１ｂは定格２４Ｖで色温度が２４００Ｋの小型白熱ランプ、白熱ランプ２ｂは定格２４Ｖで、バルブの生地に青色成分を練り込むことにより、３２００Ｋの色温度を有する白熱ランプである。その他の照明器具１０の構成は第１実施形態と同じである。また第１実施形態と比較して、２台の変圧器１３が照明器具１０とコントローラ１１との間に介設されている。
【００１３】
第２実施例においては、２種類の白熱ランプは２４Ｖという低電圧の定格を採用している。したがって１００Ｖの同じワット数の白熱ランプと比較した際、振動、衝撃にも強く、長寿命で小型の白熱ランプを器具の光源として使用することができ、その結果、照明器具の大きさをより小型化することができる。
【００１４】
（第３実施形態）
本実施形態における照明装置は、２種類の白熱ランプの定格電圧がともに２４Ｖであるため、内部に２台の変圧器を有し、前記２台の変圧器の２次側の出力線の１本をコモン線とし合計３本とするのだが、その際コモン線に流れる電流が前記２台の変圧器から流れる電流の差分になる変圧装置が１台、照明器具とコントローラとの間に介設されている点で第１実施形態と異なる。
【００１５】
図３は、第３実施形態における照明装置の基本構造を示す。照明器具１０の構成は第２実施形態と同じであるが、第３実施形態においては変圧装置１４が照明器具１０とコントローラ１１との間に介設されている。
【００１６】
図４は、変圧装置１２の内部構成を示す。内部に２台の変圧器１３ａおよび１３ｂを有し、コモン線となる出力線１６に流れる電流は他の出力線１５と出力線１７に流れる電流の差分となる。出力線１５は導線６，出力線１６は導線７，出力線１７は導線８に接続されている。
【００１７】
第２実施例においては、導線７に流れる電流が、導線６に流れる電流と導線８に流れる電流の総和の電流になるのか、差分の電流になるのかは、実際に電流を流してみて計測してみないとわからない状態であったが、本実施形態においては、正しく配線された際は、必ず差分の電流が流れることになる。したがって電流が流れることによる電線の発熱や白熱ランプに加わる電圧が降下するといった問題が軽減される。その結果、照明器具のランプ灯数や最大長さを最大２倍まで増やすことができる。
【００１８】
（第４実施形態）
本実施形態における照明装置は、変圧装置１４とコントローラ１１との配線を間違えて接続しないように、変圧装置１４の内部に、正しい時は青系のインジケータを、間違っている時は赤系のインジケータが点灯する、誤配線防止機構を有する点で第３実施形態と異なる。他の構成は第３実施形態と共通するので説明を省略する。
【００１９】
図４は、第４実施形態における変圧装置の内部構成を示す。ここでは、青系のネオン１８は、正しい配線をしている時にのみ電位差を生じ、点灯するように２台の変圧器１３ａと１３ｂにおいて１次巻き線側で極性が異なるよう並列接続されている。また赤系のネオン１９においては、間違った配線をした時にのみ電位差を生じ、点灯するように２台の変圧器１３ａと１３ｂにおいて１次巻き線側で極性が同じになるよう並列接続されている。
【００２０】
（第５実施形態）
本実施形態における照明装置は、変圧装置１４とコントローラ１１との配線を間違えて接続しないように、間違った配線をした時は音がなる誤配線防止機構を有する点で第３実施形態と異なる。他の構成は第３実施形態と共通するので説明を省略する。
【００２１】
図５は、第５実施形態における変圧装置の内部構成を示す。ここでは、電子ブザー２０は間違った配線をした時のみ、警報を発するように２台の変圧器１３ａと１３ｂにおいて一次巻き線で極性が同じになるよう並列接続されている。
【００２２】
以上、本発明を実施の形態をもとに説明した。この実施の形態は例示であり、それらの各構成要素や各処理プロセスの組み合わせにいろいろな変形が可能なこと、
またそうした変形例も本発明の範囲にあることは当業者に理解されるところである。
そうした変形例を以下挙げる。
【００２３】
第２実施形態において、変圧器をコントローラと器具の間に介設したが、２次側で調光するコントローラの場合は、電源とコントローラの間に介設する。
【００２４】
第４実施形態において、インジケータの種類としてネオンを例示した。変形例においては、ＬＥＤを使用してもよい。
【００２５】
【発明の効果】
本発明は、任意の混色光を壁・天井等に反射・バウンスさせて、室内の明るさをとりながらも、その光色は質の良い高級感あふれる光で、小型の間接照明器具を提供できる
【図面の簡単な説明】
【図１】本発明の第１実施形態における間接照明装置の構成を示す図である。
【図２】本発明の第２実施形態における間接照明装置の構成を示す図である。
【図３】本発明の第３実施形態における間接照明装置の構成を示す図である
【図４】本発明の第３実施例における変圧装置の内部構成を示す図である。
【図５】本発明の第４実施例における変圧装置の内部構成を示す図である。
【図６】本発明の第５実施例における変圧装置の内部構成を示す図である。
【符号の説明】
１ａ  白熱ランプ
１ｂ  白熱ランプ
２ａ  白熱ランプ
２ｂ  白熱ランプ
３ａ  リード線
３ｂ  リード線
４ａ  リード線
４ｂ  リード線
５    ３芯電線
６    導線
７    導線
８    導線
９    被覆材
１０  照明器具
１１  コントローラ
１２  電源
１３  変圧器
１３ａ  変圧器
１３ｂ  変圧器
１４  変圧装置
１５  出力線
１６  出力線
１７  出力線
１８  青色ネオン
１９  赤色ネオン
２０  電子ブザー
【図１】
2004265795.tif 000003
【図２】
2004265795.tif 000004
【図３】
2004265795.tif 000005
【図４】
2004265795.tif 000006
【図５】
2004265795.tif 000007
【図６】
2004265795.tif 000008